(57)【要約】【課題】容器本体内の液体を最後まで良好に吸い上げることができるポンプ付き液体容器用容器本体を提供すること。【解決手段】容器本体１０は、液出口部１１を有する有底形状に成形され、胴部１３の下端１３ａが容器本体１０の中心線に垂直な平面上に存在し、底面部１４の中心部１４ａが胴部１３の下端１３ａと同一レベルまたは僅かに高い位置とされ容器本体１０内では液溜り用凹部１５とされ、底面部１４の周囲部１４ｂが中心側に向けて漸次傾斜下降され容器本体１０内では液流れ面１６とされ、底面部１４の周縁部１４ｃが、胴部１３の下端部１３ｂと折り返し状態に内側に重なり、胴部１３の下端１３ａと連接して形成されている。【選択図】図１
2018070243.tif 000002
【特許請求の範囲】
【請求項１】
上部に液出口部を有する有底形状に成形されたポンプ付き液体容器の容器本体であり、
胴部の下端が容器本体の中心線に垂直な平面上に存在し、
底面部の中心部が前記胴部の前記下端と同一レベルまたは僅かに高い位置となるよう下方に突出して容器本体内で液溜り用凹部とされているとともに、周囲部が中心側に向けて漸次傾斜下降した液流れ面とされており、
前記底面部の周縁部が、前記胴部の下端部と折り返し状態に内側に重なり、前記胴部の前記下端と連接して形成されていることを特徴とするポンプ付き液体容器の容器本体。
【請求項２】
上部に液出口部を有する有底形状に成形されたポンプ付き液体容器の容器本体であり、
胴部の下端が容器本体の中心線に垂直な平面上に存在し、
底面部の中心部が周囲部よりも小さな面積を占めて前記胴部の前記下端と同一レベルまたは僅かに高い位置となるよう下方に突出して容器本体内で液溜り用凹部とされ、
前記底面部の前記周囲部が中心側に向けて漸次傾斜下降した液流れ面とされており、
前記底面部の周縁部が、前記胴部の下端部と折り返し状態に内側に重なり、前記胴部の前記下端と連接して形成されていることを特徴とするポンプ付き液体容器の容器本体。
【請求項３】
請求項１または請求項２に記載のポンプ付き液体容器の容器本体と、汲み上げポンプと、を備え、
前記汲み上げポンプの汲み上げパイプの下端が前記液溜り用凹部に位置することを特徴とするポンプ付き液体容器。
【発明の詳細な説明】
【技術分野】
【０００１】
本発明は、ポンプ付き液体容器用容器本体およびポンプ付き液体容器に関する。
【背景技術】
【０００２】
従来、ポンプ付き液体容器は、容器本体と、容器本体の液出口部に装着されるポンプとを有し、ポンプを作動することにより、容器本体内に垂下する吸い上げパイプで容器本体内に貯留する液体を吸い上げ、吐出部から所定量の液体吐出するようになっている（例えば、特許文献１参照）。
【０００３】
容器本体内に貯留する液体が化粧水、清涼剤、薬剤、殺虫剤、防錆剤等の液体である場合には、ボディソープ、シャンプー、洗濯用洗剤、柔軟剤、食器洗い洗剤等の液体とは異なり、香料の発散、揮発成分の発散、有害液体の人体への付着防止等の観点から、液体がなくなっても詰め替えを行わず、容器本体内の液体は最後まで使い切ってからポンプ付き液体容器全体を廃棄している。
【先行技術文献】
【特許文献】
【０００４】
【特許文献１】特開２００７−２２３６４３号公報
【発明の概要】
【発明が解決しようとする課題】
【０００５】
しかしながら、特許文献１に記載された容器本体は、底面中央部が内向きに凸の隆起部を有して形成されているので、容器本体内の液体を最後まで使い切る前の段階になると、液体が隆起部の周囲の凹部に残ってしまうことになる。このため、吸い上げパイプが垂直に垂下されており、吸い上げパイプの下端が容器本体の底面中央部の隆起部の頂部に位置された構成では、隆起部の周囲の凹部に残る液体を吸い上げることができないという問題があった。
【０００６】
一方、特許文献１に記載された容器本体について、吸い上げパイプの下端が隆起部の周囲の凹部に位置するように、該吸い上げパイプが垂下された構成では、容器本体を傾けることで容器本体内の液体を最後まで使い切ることができる。しかし、これだと使い勝手が悪く、容器本体が不透明な樹脂で成形されている場合には、容器本体内の液体を最後まで使い切っているかどうか外部から視認することができないので、一般的には容器本体内の液体が吸い上げパイプの下端側に集まるように容器本体を傾けて容器本体内の液体を最後まで使い切ることは行われていないという問題があった。
【０００７】
本発明は、上述した問題に鑑みてなされたもので、容器本体内の液体を最後まで良好に吸い上げることができるポンプ付き液体容器用容器本体およびポンプ付き液体容器を提供することを目的としている。
【課題を解決するための手段】
【０００８】
本願第１の発明に係るポンプ付き液体容器用容器本体は、上記課題を解決するため、上部に液出口部を有する有底形状に成形されたポンプ付き液体容器の容器本体であり、胴部の下端が容器本体の中心線に垂直な平面上に存在し、底面部の中心部が前記胴部の前記下端と同一レベルまたは僅かに高い位置となるよう下方に突出して容器本体内で液溜り用凹部とされているとともに、周囲部が中心側に向けて漸次傾斜下降した液流れ面とされており、前記底面部の周縁部が、前記胴部の下端部と折り返し状態に内側に重なり、前記胴部の前記下端と連接して形成されていることを特徴とする。
【０００９】
本願第２の発明に係るポンプ付き液体容器用容器本体は、上記課題を解決するため、上部に液出口部を有する有底形状に成形されたポンプ付き液体容器の容器本体であり、胴部の下端が容器本体の中心線に垂直な平面上に存在し、底面部の中心部が周囲部よりも小さな面積を占めて前記胴部の前記下端と同一レベルまたは僅かに高い位置となるよう下方に突出して容器本体内で液溜り用凹部とされ、前記底面部の前記周囲部が中心側に向けて漸次傾斜下降され、前記底面部の周縁部が、前記胴部の下端部と折り返し状態に内側に重なり、前記胴部の前記下端と連接して形成されている構成である。
【００１０】
本願第３の発明に係るポンプ付き液体容器は、上記課題を解決するため、本願第１または第２の発明に係るポンプ付き液体容器の容器本体と、汲み上げポンプと、を備え、前記汲み上げポンプの汲み上げパイプの下端が前記液溜り用凹部に位置する構成である。
【００１１】
上記構成によれば、本発明に係るポンプ付き液体容器用容器本体およびポンプ付き液体容器は、底面部の中心部が液溜り用凹部とされ、周囲部が中心側に向けて漸次傾斜下降した液流れ面とされている。
【００１２】
したがって、上記構成によれば、容器本体内の液体を使い切る前の段階で、ポンプ付き液体容器が水平面上に置かれると、液流れ面に薄い層に形成される残り少ない液体が該液流れ面を液溜り用凹部に向かうように流れて溜まる。よって、容器本体内の液体を使い切る前の段階で容器本体を傾けなくても、汲み上げポンプで液体を最後まで良好に吸い上げることができ、容器本体内の液体を使い切ることができる。また、胴部の下端が容器本体の中心線に垂直な平面上に存在し、底面部の中心部が胴部の下端と同一レベルまたは僅かに高い位置となるよう下方に突出されているため、容器本体は、胴部の下端に対応する底面部分で安定した着座性を有し、容器本体内の液体が少なくなることにより重心位置が相対的に上昇しても倒れ難い。
【発明の効果】
【００１３】
本発明によれば、容器本体内の液体を最後まで良好に吸い上げることができるポンプ付き液体容器用容器本体およびポンプ付き液体容器を提供することができる。
【図面の簡単な説明】
【００１４】
【図１】本発明の第１の実施の形態に係るポンプ付き液体容器を示す一部切り欠き断面とした正面図である。
【図２】本発明の第１の実施の形態に係るポンプ付き液体容器を示し、（ａ）図は一部縦断正面図、（ｂ）図は（ａ）図におけるＩＩｂ−ＩＩｂ断面図、（ｃ）図は（ａ）図におけるＩＩｃ−ＩＩｃ断面図である。
【図３】本発明の第２の実施の形態に係るポンプ付き液体容器を示す一部切り欠き断面とした正面図である。
【図４】本発明の第２の実施の形態に係るポンプ付き液体容器を示し、（ａ）図は一部縦断正面図、（ｂ）図は（ａ）図におけるＩＶｂ−ＩＶｂ断面図、（ｃ）図は（ａ）図におけるＩＶｃ−ＩＶｃ断面図である。
【発明を実施するための形態】
【００１５】
以下、本発明の実施の形態に係るポンプ付き液体容器用容器本体およびポンプ付き液体容器について図面を参照しつつ説明する。
【００１６】
［第１の実施の形態］
図１に示すように、本実施の形態に係るポンプ付き液体容器１は、ポンプ付き液体容器用容器本体（以下では、単に容器本体と称する。）１０と、汲み上げポンプ２０と、を備え、内部に化粧水、清涼剤、薬剤、殺虫剤、防錆剤等の液体Ｌが充填される。
【００１７】
汲み上げポンプ２０は、例えばシリンダ２１を有し、該シリンダ２１を容器本体１０の液出口部１１内に垂下し、シリンダ２１の上部に備えられるキャップ状の取付部２２を液出口部１１に被せて取付部２２の内周面の雌ねじと液出口部１１の外周面の雄ねじとを螺合し、かつ液漏れを封じるように嵌合している。さらに具体的かつ詳細な構造については図示していないが、汲み上げポンプ２０は、例えば、シリンダ２１内に第１の逆止弁を有するピストンが収容され、シリンダ２１内の下部に第１の逆止弁とは互いに逆に開閉する第２の逆止弁を備え、シリンダ２１より下方に吸い上げパイプ２３が垂下している。そして、汲み上げポンプ２０は、手押し部２４を押し込むことによりパイプロッド２５が下動し、パイプロッド２５の下動に連動してシリンダ２１内に収容されたピストンが下動し、この際、シリンダ２１にてボトル外部と開通する通路、例えばパイプロッド２５の外面の縦溝からなる通路を通して容器本体１０内に外気が導入されるとともに、第１の逆止弁が開いてシリンダ２１のピストンの下側の空間内の液体がピストンの上側に流入する。手押し部２４の押し込みを解除すると、ピストンがばねの蓄勢復帰力により上動を開始し、手押し部２４も一体に上動復帰を開始し、この際、第１の逆止弁が閉じかつ第２の逆止弁が開くことで、シリンダ２１のピストンの下側の空間が負圧になり、この負圧で液体Ｌが第２の逆止弁を通りシリンダ２１のピストンの下側の広がっていく空間に吸い上げられる。次に手押し部２４を押し込むと、ピストンの下動で第２の逆止弁が閉じ、シリンダ２１の下部空間内の液体が第１の逆止弁を通りピストンの上側に流入するから、パイプロッド２５内の流量オーバーの液体がパイプロッド２５を通り吐液部２６から吐出される。なお、この構成は、汲み上げポンプの汲み上げ原理の一例を示したもので、汲み上げポンプは、この構成や原理に限定されない。汲み上げポンプは、人力の作動部がプッシュ式構造のもの、またはトリガーを引く構造のものなどいずれであってもよい。
【００１８】
図１、図２（ａ），（ｂ），（ｃ）に示すように、容器本体１０は、上部に形成され外周面にオネジを有する液出口部１１と、液出口部１１に連接され下方に向けて拡径する肩部１２と、肩部１２に連接する筒状の胴部１３と、胴部１３に連接する底面部１４と、を有する有底容器である。なお、胴部１３は、図では円筒形であるが、これに限定されるものではなく、例えば四隅が丸みを持つ角部である四角筒状であってもよい。
【００１９】
容器本体１０は、胴部１３の下端１３ａが容器本体１０の中心線に垂直な平面上に存在する構成であり、これにより、容器本体１０は胴部１３の下端１３ａに対応する底面部分で安定した着座性を有する。
【００２０】
容器本体１０は、底面部１４の中心部１４ａが胴部１３の下端１３ａと同一レベルまたは僅かに高い位置とされ、容器本体１０内で液溜り用凹部１５とされている。
【００２１】
底面部１４の中心部１４ａの周りの周囲部１４ｂが中心側に向けて漸次傾斜下降されて、容器本体１０内の液体Ｌを液溜り用凹部１５へ導くための液流れ面１６とされている。
【００２２】
そして、底面部１４の周縁部１４ｃが、胴部１３の下端部１３ｂと連接し折り返し状態に内側に重なり、周縁部１４ｃと下端部１３ｂの重なり面に液体が入り込まないようになっており、液溜り用凹部１５に、汲み上げポンプ２０の汲み上げパイプ２３の下端２３ａが位置される。
【００２３】
容器本体１０は、ポリエチレンテレフタレート（ＰＥＴ）、ポリプロピレン（ＰＰ）などの樹脂をダイレクトブロー成形されてなる。底面部１４の中心部１４ａ、周囲部１４ｂおよび周縁部１４ｃは、ダイレクトブロー成形の初期の膨張工程では、図２（ａ）に二点鎖線で示す膨張部分１４'を形成し、次いで、図示しない底面部の金型の一部を押込用金型Ｋと交換し、引き続き膨張圧力を加えた状態で押込用金型Ｋを押し込んで、実線で示す中心部１４ａおよび周囲部１４ｂの位置に窪ませることで形成され、周縁部１４ｃは膨張部分１４'の外周部１４ｃ'が内外を反転されてかつ筒状に修正されて、周縁部１４ｃと下端部１３ｂとの重なりが生じた形状に成形される。
【００２４】
次に、本実施の形態に係る容器本体１０およびポンプ付き液体容器１の作用について説明する。
【００２５】
容器本体１０およびポンプ付き液体容器１は、胴部１３の下端１３ａが容器本体１０の中心線に垂直な平面上に存在し、底面部１４の中心部１４ａが胴部１３の下端１３ａと同一レベルまたは僅かに高い位置となるよう下方に突出されていることにより、容器本体１０内で液体Ｌが溜まる液溜り用凹部１５とされる。このため、胴部１３の下端１３ａに対応する底面部分で安定した着座性を有し、容器本体１０内の液体Ｌが少なくなることにより重心位置が相対的に上昇しても倒れ難い。
【００２６】
容器本体１０およびポンプ付き液体容器１は、底面部１４の周囲部１４ｂが中心側に向けて漸次傾斜下降されることにより、容器本体１０内に液体Ｌを液溜り用凹部１５へ導くための液流れ面１６が形成されている。このため、容器本体１０内の液体を使い切る前の段階になると、液流れ面１６上に薄い層に形成される残り少ない液体Ｌが該液流れ面１６を液溜り用凹部１５に向かうように流れて溜まる。
【００２７】
容器本体１０およびポンプ付き液体容器１は、底面部１４の周縁部１４ｃが、胴部１３の下端部１３ｂと連接し折り返し状態に内側に重なり、周縁部１４ｃと下端部１３ｂの重なり面に液体が入り込まないようになっている。このため、容器本体１０内の液体は最終的に液流れ面１６を経て液溜り用凹部１５に溜まる。
【００２８】
したがって、ポンプ付き液体容器１を水平面上に載置した状態で容器本体１０内の液体を使い切る前の段階になると、液流れ面１６上に薄い層に形成される残り少ない液体Ｌが該液流れ面１６を液溜り用凹部１５に向かうように流れて溜まるので、容器本体１０内の液体Ｌを使い切る前の段階で容器本体１０を傾けなくても、液体Ｌを最後まで良好に吸い上げることができ、容器本体１０内の液体を使い切ることができる。
【００２９】
［第２の実施の形態］
図３に示すように、本実施の形態に係るポンプ付き液体容器１Ａは、ポンプ付き液体容器用容器本体（以下では、単に容器本体と称する。）１０Ａと、汲み上げポンプ２０Ａと、を備え、内部に化粧水、清涼剤、薬剤、殺虫剤、防錆剤等の液体Ｌが充填される。
【００３０】
汲み上げポンプ２０Ａは、例えばシリンダ２１Ａを有し、該シリンダ２１Ａを容器本体１０Ａの液出口部１１Ａ内に垂下し、該シリンダ２１Ａの上部に備えられるキャップ状の取付部２２Ａを液出口部１１Ａに被せて取付部２２Ａの内周面の雌ねじと液出口部１１Ａの外周面の雄ねじとを螺合し、かつ液漏れを封じるように嵌合している。さらに一具体で詳細な構造については図示していないが、汲み上げポンプ２０Ａは、例えば、シリンダ２１Ａ内に第１の逆止弁を有するピストンが収容され、シリンダ２１Ａ内の下部に第１の逆止弁とは互いに逆に開閉する第２の逆止弁を備え、シリンダ２１Ａより下方に吸い上げパイプ２３Ａが垂下している。そして、汲み上げポンプ２０Ａは、手押し部２４Ａを押し込むことによりパイプロッド２５Ａが下動し、パイプロッド２５Ａの下動に連動してシリンダ２１Ａ内に収容されたピストンが下動し、この際、大気が適宜の開通する通路、例えばパイプロッド２５Ａの外面の縦溝を通して容器本体１０Ａ内に導入されるとともに、第１の逆止弁が開いてシリンダ２１Ａのピストンの下側の空間内の液体がピストンの上側に流入する。手押し部２４Ａの押し込みを解除すると、ピストンがばねの蓄勢復帰力により上動を開始し、手押し部２４Ａも一体に複動を開始し、この際、第１の逆止弁が閉じかつ第２の逆止弁が開くことで、シリンダ２１Ａのピストンの下側の空間が負圧になり、この負圧で液体Ｌが第２の逆止弁を通りシリンダ２１Ａのピストンの下側の空間に吸い上げられる。次に手押し部２４Ａを押し込むと、ピストンの下動で第２の逆止弁が閉じ、シリンダ２１Ａの下部空間内の液体が第１の逆止弁を通りピストンの上側に流入するから、パイプロッド２５Ａ内の流量オーバーの液体がパイプロッド２５Ａを通り吐液部２６Ａから吐出される。なお、この構成は、汲み上げポンプの汲み上げ原理の一例を示したもので、汲み上げポンプは、この構成や原理に限定されない。汲み上げポンプは、人力の作動部がプッシュ式構造のもの、またはトリガーを引く構造のものなどいずれであってもよい。
【００３１】
図３、図４（ａ），（ｂ），（ｃ）に示すように、容器本体１０Ａは、上部に形成され、外周面にオネジを有する液出口部１１Ａと、液出口部１１Ａに連接され下方に向けて拡径する肩部１２Ａと、肩部１２Ａに連接する円筒状の胴部１３Ａと、胴部１３Ａに連接する底面部１４Ａと、を有する有底容器である。なお、胴部１３Ａは、図では円筒形であるが、これに限定されるものではなく、例えば四隅が丸みを持つ角部である四角筒状であってもよい。
【００３２】
容器本体１０Ａは、胴部１３Ａの下端１３ｃが容器本体１０Ａの中心線に垂直な平面上に存在する構成であり、底面部１４Ａの中心部１４ｄが周囲部１４ｅよりも小さな面積を占めて胴部１３Ａの下端１３ｃと同一レベルまたは僅かに高い位置となるよう下方に突出して容器本体１０Ａ内で液溜り用凹部１５Ａとされている。これにより、容器本体１０Ａは胴部１３Ａの下端１３ｃに対応する底面部分で安定した着座性を有する。
【００３３】
容器本体１０Ａは、底面部１４Ａの中心部１４ｄの周りの周囲部１４ｅが中心側に向けて漸次傾斜下降されて、容器本体１０Ａ内の液体Ｌを液溜り用凹部１５Ａへ導くための液流れ面１６Ａが形成され、底面部１４Ａの周縁部１４ｆが、胴部１３Ａの下端部１３ｄと連接し折り返し状態に内側に重なり、周縁部１４ｆと下端部１３ｄの重なり面に液体が入り込まないようになっており、液溜り用凹部１５Ａに、汲み上げポンプ２０Ａの汲み上げパイプ２３Ａの下端２３ａが位置される。
【００３４】
容器本体１０Ａは、ポリエチレンテレフタレート（ＰＥＴ）、ポリプロピレン（ＰＰ）などの樹脂をダイレクトブロー成形されてなる。底面部１４Ａの中心部１４ｄ、周囲部１４ｅおよび周縁部１４ｆは、ダイレクトブロー成形の初期の膨張工程では、図４（ａ）に二点鎖線で示す膨張部分１４Ａ'を形成し、次いで、図示しない底面部の金型の一部を押込用金型Ｋ'と交換し、引き続き膨張圧力を加えた状態で押込用金型Ｋ'を押し込んで、実線で示す中心部１４ｄおよび周囲部１４ｅの位置に窪ませることで形成され、周縁部１４ｆは膨張部分１４Ａ'の外周部１４ｃ'が内外を反転されてかつ筒状に修正されて、周縁部１４ｆと下端部１３ｄとの重なりが生じた形状に成形される。
【００３５】
次に、本実施の形態に係る容器本体１０Ａおよびポンプ付き液体容器１Ａの作用について説明する。
【００３６】
容器本体１０Ａおよびポンプ付き液体容器１Ａは、胴部１３Ａの下端１３ｃが容器本体１０Ａの中心線に垂直な平面上に存在し、底面部１４Ａの中心部１４ｄが胴部１３Ａの下端１３ｃと同一レベルまたは僅かに高い位置となるよう下方に突出されていることにより、容器本体１０Ａ内で液体Ｌが溜まる液溜り用凹部１５Ａとされる。このため、胴部１３Ａの下端１３ｃに対応する底面部分で安定した着座性を有し、容器本体１０Ａ内の液体Ｌが少なくなることにより重心位置が相対的に上昇しても倒れ難い。
【００３７】
容器本体１０Ａおよびポンプ付き液体容器１Ａは、底面部１４Ａの周囲部１４ｅが中心側に向けて漸次傾斜下降されることにより、容器本体１０Ａ内に液体Ｌを液溜り用凹部１５Ａへ導くための液流れ面１６Ａが形成されている。このため、容器本体１０Ａ内の液体を使い切る前の段階になると、液流れ面１６Ａ上に薄い層に形成される残り少ない液体Ｌが該液流れ面１６Ａを液溜り用凹部１５Ａに向かうように流れて溜まる。
【００３８】
容器本体１０Ａおよびポンプ付き液体容器１Ａは、底面部１４Ａの周縁部１４ｆが、胴部１３Ａの下端部１３ｄと連接し折り返し状態に内側に重なり、周縁部１４ｆと下端部１３ｄの重なり面に液体が入り込まないようになっている。このため、容器本体１０Ａ内の液体は最終的に液流れ面１６Ａを経て液溜り用凹部１５Ａに溜まる。
【００３９】
したがって、ポンプ付き液体容器１Ａを水平面上に載置した状態で容器本体１０Ａ内の液体を使い切る前の段階になると、液流れ面１６Ａ上に薄い層に形成される残り少ない液体Ｌが該液流れ面１６Ａを液溜り用凹部１５Ａに向かうように流れて溜まるので、容器本体１０Ａ内の液体Ｌを使い切る前の段階で容器本体１０Ａを傾けなくても、液体Ｌを最後まで良好に吸い上げることができ、容器本体１０Ａ内の液体を使い切ることができる。
【００４０】
以上説明したように、本発明によれば、容器本体内の液体を最後まで良好に吸い上げることができるという効果を有し、ポンプ付き液体容器用容器本体およびポンプ付き液体容器の全般に有用である。
【符号の説明】
【００４１】
１，１Ａ  ポンプ付き液体容器
１０，１０Ａ  容器本体
１１，１１Ａ  液出口部
１３，１３Ａ  胴部
１３ａ，１３ｃ  下端
１３ｂ，１３ｄ  下端部
１４，１４Ａ  底面部
１４ａ，１４ｄ  中心部
１４ｂ，１４ｅ  周囲部
１４ｃ，１４ｆ  周縁部
１５，１５Ａ  液溜り用凹部
１６，１６Ａ  液流れ面
２０，２０Ａ  汲み上げポンプ
２３，２３Ａ  汲み上げパイプ
【図１】
2018070243.tif 000003
【図２】
2018070243.tif 000004
【図３】
2018070243.tif 000005
【図４】
2018070243.tif 000006